(57)【要約】【課題】ディスクに提供される複数の一時ディスク／欠陥管理領域（ＴＤＭＡ）の利用効率性を増大させる。【解決手段】記録媒体は一時管理領域と最終管理領域を含む。システムは、現在使用中の一時管理領域を指示する第１のインジケータを作成し、記録媒体がクローズされたか否かを示す第２のインジケータを作成する書込み／読出しユニット、書込み／読出しユニットを制御して第１のインジケータおよび第２のインジケータを作成するコントローラを含む記録／再生装置と、記録媒体にデータを記録しまたは媒体のデータを再生するための書込み／読出しコマンドを記録／再生装置に送信するように構成されたホスト装置とを備える。コントローラは、書込み／読出しユニットを制御して一時管理領域の１つにおける第１のインジケータおよび第２のインジケータを作成する。第２のインジケータは、第１のインジケータよりも内側に位置している。【選択図】図７
2008112577.tif 000002
【特許請求の範囲】
【請求項１】
記録媒体上に管理情報を記録するシステムであって、前記記録媒体は一時管理情報を保存する少なくとも１箇所の一時管理領域と、前記記録媒体がクローズしたときに最終管理情報を保存する最終管理領域とを含み、前記システムは、
前記記録媒体にデータを記録しまたは前記記録媒体に記録されたデータを再生するのに適した記録／再生装置であって、
現在使用中の一時管理領域を指示する第１のインジケータを作成し、かつ前記記録媒体がクローズされたか否かを示す第２のインジケータを作成するのに適した書込み／読出しユニット、および
前記書込み／読出しユニットに結合され、前記書込み／読出しユニットを制御して前記第１のインジケータおよび前記第２のインジケータを作成するコントローラ
を含む記録／再生装置と、
インタフェースを介して前記記録／再生装置に操作可能に結合され、前記記録媒体にデータを記録しまたは前記媒体のデータを再生するための書込み／読出しコマンドを前記記録／再生装置に送信するように構成されたホスト装置とを備え、
前記コントローラは、前記書込み／読出しユニットを制御して前記一時管理領域の１つにおける前記第１のインジケータおよび前記第２のインジケータを作成するように構成され、
前記第２のインジケータは、前記第１のインジケータよりも内側に位置していることを特徴とするシステム。
【請求項２】
前記一時管理領域の１つは、前記記録媒体のリードイン領域に位置していることを特徴とする請求項１に記載のシステム。
【請求項３】
前記コントローラは、前記書込み／読出しユニットを制御して前記一時管理領域の１つの先頭部分に前記第１のインジケータおよび前記第２のインジケータを作成するように構成されていることを特徴とする請求項１に記載のシステム。
【請求項４】
前記第１のインジケータは複数のセクタを含み、前記コントローラは前記書込み／読出しユニット制御して、前記セクタの少なくとも１つに、前記一時管理領域に記録された記録媒体の最新の使用状態情報を記録するように構成されていることを特徴とする請求項１に記載のシステム。
【請求項５】
前記第１のインジケータは、前記最新の使用状態情報を記録する一時管理領域を識別する位置情報を含むことを特徴とする請求項４に記載のシステム。
【請求項６】
各セクタに含まれた前記最新の使用状態情報は、互いに等しいことを特徴とする請求項４に記載のシステム。
【請求項７】
前記第１のインジケータに含まれた最新の使用状態情報は、現在使用中の一時管理領域に最初に記録された記録媒体の使用状態情報に等しいことを特徴とする請求項４に記載のシステム。
【請求項８】
前記第２のインジケータのサイズは、前記一時管理領域の１つの第１の先頭クラスタである１つのクラスタ分であることを特徴とする請求項１に記載のシステム。
【請求項９】
前記第１のインジケータのサイズは、前記一時管理領域の１つの第２の先頭クラスタから開始する少なくとも１クラスタ分であることを特徴とする請求項１に記載のシステム。
【請求項１０】
前記第２のインジケータは複数のセクタを含み、前記コントローラは、前記書込み／読出しユニットを制御して、前記セクタの少なくとも１つに、前記記録媒体がクローズされたときに前記一時管理領域に記録された前記記録媒体の最新の使用状態情報を記録するように構成されていることを特徴とする請求項１に記載のシステム。
【請求項１１】
記録媒体に記録されたデータを再生するシステムであって、前記記録媒体は少なくとも１箇所の一時管理領域と最終管理領域とを組み、前記システムは、
前記記録媒体にデータを記録し、または前記記録媒体からデータを再生するのに適した記録／再生装置と、
インタフェースを介して前記記録／再生装置に操作可能に結合し、前記記録媒体にデータを記録し、または前記記録媒体からデータを再生するための書込み／読出しコマンドを前記記録／再生装置に送信するように構成されたホスト装置とを備え、
前記記録／再生装置は、
前記記録媒体がクローズされた場合に前記最終管理領域から最終管理情報を読み出し、または前記記録媒体がクローズされない場合に現在使用中の一時管理領域から一時管理情報を読み出すのに適した書込み／読出しユニット、および
前記書込み／読出しユニットに結合され、前記記録媒体内の第２のインジケータに基づいて前記記録媒体がクローズされたか否かを判断し、前記記録媒体がクローズされない場合に前記記録媒体内の少なくとも１つの第１のインジケータに基づいて、前記一時管理領域の中のどれが現在使用中かを判断し、前記書込み／読出しユニットを制御して、前記読み出された最終管理情報又は前記読み出された一時管理情報に基づいて前記記録媒体に記録されたデータを読み出すように構成されたコントローラを含み、
前記第１のインジケータおよび前記第２のインジケータは前記一時管理領域の１つに位置し、前記第２のインジケータは前記第１のインジケータより内側に位置していることを特徴とするシステム。
【請求項１２】
前記一時管理領域の１つは、前記記録媒体のリードイン領域に位置していることを特徴とする請求項１１に記載のシステム。
【請求項１３】
前記第１のインジケータおよび前記第２のインジケータは、前記一時管理領域の１つの先頭部分に位置していることを特徴とする請求項１１に記載のシステム。
【請求項１４】
前記第１のインジケータは複数のセクタを含み、前記セクタの少なくとも１つは、前記記録媒体の最新の使用状態情報を含むことを特徴とする請求項１１に記載のシステム。
【請求項１５】
前記第１のインジケータは、前記最新の使用状態情報を記録する一時管理領域を識別する位置情報を含むことを特徴とする請求項１４に記載のシステム。
【請求項１６】
各セクタに含まれた前記最新の使用状態情報は、互いに等しいことを特徴とする請求項１４に記載のシステム。
【請求項１７】
前記第１のインジケータに含まれた最新の使用状態情報は、現在使用中の一時管理領域に最初に記録された記録媒体の使用状態情報に等しいことを特徴とする請求項１４に記載のシステム。
【請求項１８】
前記第２のインジケータのサイズは、前記一時管理領域の１つの第１の先頭クラスタである１つのクラスタ分であることを特徴とする請求項１１に記載のシステム。
【請求項１９】
前記第１のインジケータのサイズは、前記一時管理領域の１つの第２の先頭クラスタから開始する少なくとも１クラスタ分であることを特徴とする請求項１１に記載のシステム。
【請求項２０】
前記第２のインジケータは複数のセクタを含み、前記セクタの少なくとも１つは、前記記録媒体がクローズされた時における前記記録媒体の最新の使用状態情報を含むことを特徴とする請求項１１に記載のシステム。
【発明の詳細な説明】
【技術分野】
【０００１】
本発明は、追記型光ディスク、及び追記型ブルーレイディスク（ＢＤ−ＷＯ;Ｗｒｉｔｅ−Ｏｎｃｅ  Ｂｌｕ−ｒａｙ  Ｄｉｓｃ）などの光ディスクに管理情報を記録し／光ディスクから管理情報を再生する方法及び装置に関する。
【背景技術】
【０００２】
光記録媒体として、高容量データが記録可能な光ディスクが広く用いられつつある。中でも高画質ビデオデータ及び高音質オーディオデータを長期間記録し保存するために、例えば最近、ブルーレイディスクなどの新たな高密度光記録媒体（ＨＤ−ＤＶＤ）が開発されている。
【０００３】
ブルーレイディスクは、次世代ＨＤ−ＤＶＤ技術を含み、次世代光記録ソリューションとして、既存のＤＶＤに比べて大容量のデータを保存する優れた能力を有する。近年、ＨＤ−ＤＶＤに対する国際標準の技術規格が確立されてきており、ブルーレイディスクに対する様々な標準が設けられつつある。特に、追記型ブルーレイディスク（ＢＤ−ＷＯ）に対する標準が提案されている。
【０００４】
図１は、関連技術による書き換え型ブルーレイディスク（ＢＤ−ＲＥ）の記録領域の構造を概略的に示す図である。同図に示すように、ディスクは、その内周から外周に向かって割り当てられるリードイン領域（ｌｅａｄ−ｉｎ  ｚｏｎｅ）、データ領域、及びリードアウト領域（ｌeａd−ｏｕｔ  ｚｏｎｅ）に分けられる。データ領域には、内周及び外周にそれぞれ配置され欠陥領域を代替する内部スペア領域（ｉｎｎｅｒ  ｓｐａｒｅ  ａｒｅａ;ＩＳＡ）及び外部スペア領域（ｏｕｔｅｒ  ｓｐａｒｅ  ａｒｅａ;ＯＳＡ）が提供され、スペア領域の間には、ユーザデータを記録するユーザデータ領域が提供される。
【０００５】
データを書き換え型ブルーレイディスク（ＢＤ−ＲＥ）に記録する間にユーザデータ領域において欠陥領域が生じれば、データは、欠陥領域からスペア領域に送られ、スペア領域の一部に記録される。このようなスペア領域の部分は、欠陷領域を代替するための代替領域となる。また、欠陥領域に係わる位置情報、すなわち、欠陥領域及び対応する代替領域に関する位置情報が欠陥管理領域（ＤＭＡ１、ＤＭＡ２、ＤＭＡ３及びＤＭＡ４）に記録され、これは、欠陥管理を行うためにリードイン／リードアウト領域に提供される。ＢＤ−ＲＥは、最小記録単位としてクラスタを有する。１つのクラスタは、総３２セクタを有し、１つのセクタは２０４８バイトを有する。
【０００６】
書き換えはＢＤ−ＲＥの任意の領域で行うことができるため、特定の記録方式に関係なくディスクの全領域をランダムに用いることができる。また、欠陥管理情報の欠陥管理領域（ＤＭＡ）への記録、書き換え、及びそこからの消去が可能であるため、欠陥管理領域のサイズが小さいことは重要ではない。特に、ＢＤ−ＲＥは、欠陥管理領域（ＤＭＡ）の各々に対して３２個のクラスタを割り当てて用いる。
【０００７】
一方、ＢＤ−ＷＯのような追記型ディスクにおける記録は、該ディスクの特定の領域に１回だけ行うことができ、従って、記録の方式は相当制限される。このように、データがＢＤ−ＷＯなどの高密度追記型ディスクに記録されるとき、欠陥管理は重要な事項の１つになる。これにより、追記型ディスクでは、欠陥管理及びディスク管理に係わる情報を記録するための管理領域が求められる。このような点で、追記型光ディスクでは、その固有の‘追記型'という特徴に起因して欠陥管理及びディスクの使用状態に係る情報を記録するためのより大きな管理領域が求められる。
【発明の開示】
【発明が解決しようとする課題】
【０００８】
しかしながら、前記要件を満たす統一された標準は、ＢＤ−ＷＯなどの追記型ディスクには適用不可能である。さらに、現在提示されている追記型光ディスクに係わる如何なる標準も上述した問題を解決するには至っていない。
【０００９】
そこで、本発明は関連技術の限界点と短所に起因する１つまたは複数の問題点を実質的に除去するためになされたものであって、その目的は、追記型光ディスク、及び光ディスクに情報を記録し、光ディスクから情報を再生する装置及び方法を提供し、詳しくは、追記型光ディスクに管理情報を別に記録し管理することにより、ディスクに提供される複数の一時ディスク／欠陥管理領域（ＴＤＭＡ）の利用効率性を増大させる方法及び装置を提供することである。
【００１０】
本発明の他の目的は、管理情報を用いて光ディスクを効率よく記録及び再生する方法及び装置を提供することである。
本発明の追加の利点、対象及び特徴は、一部は以下の説明に示され、一部は当業者が説明を考察すると明らかであり、あるいは本発明の実践から知ることができる。本発明の目的及び他の利点は、説明において具体的に指摘された構造及び特許請求の範囲並びに添付の図面により実現され達成される。
【課題を解決するための手段】
【００１１】
前記目的の達成及び以下幅広く実現され記載される本発明の意図によれば、本発明に係るシステムは、記録媒体上に管理情報を記録するシステムであって、前記記録媒体は一時管理情報を保存する少なくとも１箇所の一時管理領域と、前記記録媒体がクローズしたときに最終管理情報を保存する最終管理領域とを含み、前記システムは、前記記録媒体にデータを記録しまたは前記記録媒体に記録されたデータを再生するのに適した記録／再生装置であって、現在使用中の一時管理領域を指示する第１のインジケータを作成し、かつ前記記録媒体がクローズされたか否かを示す第２のインジケータを作成するのに適した書込み／読出しユニット、および前記書込み／読出しユニットに結合され、前記書込み／読出しユニットを制御して前記第１のインジケータおよび前記第２のインジケータを作成するコントローラを含む記録／再生装置と、インタフェースを介して前記記録／再生装置に操作可能に結合され、前記記録媒体にデータを記録しまたは前記媒体のデータを再生するための書込み／読出しコマンドを前記記録／再生装置に送信するように構成されたホスト装置とを備え、前記コントローラは、前記書込み／読出しユニットを制御して前記一時管理領域の１つにおける前記第１のインジケータおよび前記第２のインジケータを作成するように構成され、前記第２のインジケータは、前記第１のインジケータよりも内側に位置している。
【００１２】
本発明の他の態様によれば、本発明に係るシステムは、記録媒体に記録されたデータを再生するシステムであって、前記記録媒体は少なくとも１箇所の一時管理領域と最終管理領域とを組み、前記システムは、前記記録媒体にデータを記録し、または前記記録媒体からデータを再生するのに適した記録／再生装置と、インタフェースを介して前記記録／再生装置に操作可能に結合し、前記記録媒体にデータを記録し、または前記記録媒体からデータを再生するための書込み／読出しコマンドを前記記録／再生装置に送信するように構成されたホスト装置とを備え、前記記録／再生装置は、前記記録媒体がクローズされた場合に前記最終管理領域から最終管理情報を読み出し、または前記記録媒体がクローズされない場合に現在使用中の一時管理領域から一時管理情報を読み出すのに適した書込み／読出しユニット、および前記書込み／読出しユニットに結合され、前記記録媒体内の第２のインジケータに基づいて前記記録媒体がクローズされたか否かを判断し、前記記録媒体がクローズされない場合に前記記録媒体内の少なくとも１つの第１のインジケータに基づいて、前記一時管理領域の中のどれが現在使用中かを判断し、前記書込み／読出しユニットを制御して、前記読み出された最終管理情報又は前記読み出された一時管理情報に基づいて前記記録媒体に記録されたデータを読み出すように構成されたコントローラを含み、前記第１のインジケータおよび前記第２のインジケータは前記一時管理領域の１つに位置し、前記第２のインジケータは前記第１のインジケータより内側に位置している。
【００１３】
本発明の上述した一般的な説明及び後述する実施例は何れも例示的なものであり、特許請求の範囲に記載した本発明への理解を助ける追加的な説明として理解されなければならない。
【発明を実施するための最良の形態】
【００１４】
以下、本発明の好適な実施の形態について、添付の図面に基づいて詳細に説明する。可能なかぎり、図面において同一または類似の構成要素には同一の図面番号を付す。
【００１５】
説明の便宜のために、追記型光ディスクは追記型ブルーレイディスク（ＢＤ−ＷＯ）として例示する。
【００１６】
図２Ａ及び図２Ｂは、本発明の一実施例による、例えば、ＢＤ−ＷＯなどの追記型光ディスクの構造と、そのディスク上に管理情報を記録する方法を示す図である。特に、図２Ａは、本発明の一実施例による１つの記録層を有する単層の追記型光ディスクを示す。図２Ｂは、本発明の一実施例による２つの記録層を持つ二層の追記型光ディスクを示す。
【００１７】
図２Ａに示すように、単層光ディスクは、内周から外周に向かってリードイン領域３０、データ領域３２、及びリードアウト領域３４を含む。データ領域３２は、欠陥領域を代替するための内部スペア領域（ＩＳＡ）と外部スペア領域（ＯＳＡ）、及びユーザデータを記録するためのユーザデータ領域を含む。追記型光ディスクは、さらに複数の一時ディスク／欠陥管理領域（ＴＤＭＡ）だけでなく、複数のディスク／欠陥管理領域（ＤＭＡ）を含む。ＤＭＡ（ＤＭＡ１〜ＤＭＡ４）は、リードイン及びリードアウト領域３０、３４に提供される。ＴＤＭＡは、管理情報を一時保存するのに対し、ＤＭＡは、管理情報を永続的に保存する。例えば、ディスクが終了またはクローズされるとき、ＴＤＭＡに保存された管理情報はＤＭＡのそれぞれに送られて保存され、同一の情報が複数のＤＭＡへ４回繰り返し保存される。
【００１８】
ここで、２つのＴＤＭＡがディスク上に提供され、ＴＤＭＡ０及びＴＤＭＡ１と言う。固定サイズ（例えば、２０４８クラスタ）を有するＴＤＭＡ０は、リードイン領域３０に位置し、可変サイズを有するＴＤＭＡ１は、可変サイズを有するスペア領域ＯＳＡに提供される。ＴＤＭＡ０は、必ずディスク上に提供されなければならないのに対し、ＴＤＭＡ１は、様々なサイズで適当に選択的に割り当てられる。例えば、ＴＤＭＡ１のサイズは、ＯＳＡのサイズ（Ｎ*２５６クラスタ）の１／４であればよく、ここで、Ｐ=（Ｎ*２５６／４）クラスタであり、ＰはＴＤＭＡ１のサイズであり、Ｎは正の整数である。
【００１９】
さらに、複数のＴＤＭＡは、特定の使用シーケンスで用いられる。例えば、ＴＤＭＡ０及びＴＤＭＡ１のシーケンスで用いられる。識別番号（ＴＤＭＡ０及びＴＤＭＡ１）は、使用シーケンスによる一連のシーケンスでＴＤＭＡに提供される。
【００２０】
本発明の一実施例によれば、複数のＴＤＭＡを管理するための管理情報は、ＴＤＭＡ０のヘッドに記録される。この種のＴＤＭＡ管理情報は、例えば、図２Ａ中の要素５０であるＴＤＭＡアクセスインジケータ（ＴＡＩ）として以下に言及される。ＴＡＩは、ＴＬＩ（ＴＤＭＡ ｌｏｃａｔｉｏｎ ｉｎｄｉｃａｔｏｒ）と言うことがある。ＴＡＩは、特定の使用シーケンス／順番で用いられる全てのＴＤＭＡのうちどのＴＤＭＡが“使用中のＴＤＭＡ”であるかを識別する。“使用中のＴＤＭＡ”は、指定された使用シーケンスを有する全ての複数のＴＤＭＡのうち、現在使用中／アクセス中であるか、または現在利用可能なＴＤＭＡである。ＴＡＩは、さらにディスクが現在クローズ／終了した状態であるか否かに関する情報も提供する。
【００２１】
ＴＡＩは、使用中のＴＤＭＡを識別するため初期のディスクのアクセス時間を大幅に低減することができ、最終的な欠陥管理及びディスクの使用状態に関する情報が前記識別された使用中のＴＤＭＡから逸早く得ることができる。これは、ディスクの初期ローディング時に特に有利である。ＴＡＩがなければ、使用中のＴＤＭＡから必要な管理情報を得るためにどのＴＤＭＡが使用中のＴＤＭＡなのかを判定するために、全てのＴＤＭＡに対してスキャニングを行う必要がある。
【００２２】
図２Ａに示す単層の追記型ディスクにおいて、ＴＡＩ５０は、ＴＤＭＡ０の固定２０４８クラスタのうちの先頭の２つのヘッドクラスタ５０ａ、５０ｂによって提供される。一方、図２Ｂに示すように、二層の追記型光ディスクは、第１の記録層（層０）及び第２の記録層（層１）を含む。第１の記録層（層０）は、ディスクの内周及び外周領域においてそれぞれリードイン領域４０及び外部領域０を含む。第２の記録層（層１）は、ディスクの内周及び外周領域においてそれぞれリードアウト領域４１、外部領域１を含む。リードイン及びリードアウト領域４０、４１は内部領域として知られている。
【００２３】
さらに、ディスクは、それぞれの記録層上にデータ領域４２を含む。第１の記録層（層０）のデータ領域は、内部及び外部スペア領域ＩＳＡ０、ＯＳＡ０と、これらの間のユーザデータ領域４３を含む。第２の記録層（層１）の領域は、内部及び外部スペア領域ＩＳＡ１、ＯＳＡ１と、これらの間のユーザデータ領域４４を含む。ＩＳＡ０は、２０４８クラスタなどの固定サイズを有する。ＩＳＡ１、ＯＳＡ０及びＯＳＡ１は、可変サイズを有する。例えば、ＩＳＡ１のサイズは、（Ｌ*２５６）クラスタであり、ＯＳＡ０及びＯＳＡ１のサイズは、それぞれ（Ｎ*２５６）クラスタであり、ここで、Ｌ及びＮは、正の整数である。ディスクは、さらにリードイン領域４０、外部領域０、１、及びリードアウト領域４１において複数のＤＭＡ（ＤＭＡ１〜ＤＭＡ４）を含む。同一の情報は、リダンダンシーの目的でＤＭＡに繰り返し記録される。
【００２４】
ディスクは、さらに複数のＴＤＭＡ（ＴＤＭＡ０、ＴＤＭＡ１、ＴＤＭＡ２、ＴＤＭＡ３及びＴＤＭＡ４）とＤＭＡを含む。ＴＤＭＡ０及びＴＤＭＡ１は、リードイン及びリードアウト領域４０、４１（内部領域）に領域が存在し、固定サイズ（例えば、２０４８クラスタ）を有する。ＴＤＭＡ２、ＴＤＭＡ３及びＴＤＭＡ４には、対応するスペア領域の可変サイズによって変わる可変サイズが提供される。例えば、各ＴＤＭＡ２、ＴＤＭＡ３及びＴＤＭＡ４のサイズは、対応するスペア領域のサイズの１／４であればよい。一例において、ＴＤＭＡ２及びＴＤＭＡ３は、それぞれＰ=Ｎ*２５６／４クラスタのサイズを有し、ＴＤＭＡ４は、Ｑ=Ｌ*２５６／４クラスタのサイズを有する。
【００２５】
さらに、すべてのＴＤＭＡは特定の使用シーケンスで用いられ、例えば、ＴＤＭＡ０〜ＴＤＭＡ４のシーケンスにて用いられる。これは、ＴＤＭＡに記録が要求される度にＴＤＭＡ０が記録に最初に用いられることを意味する。ＴＤＭＡ０がフル状態であるとき、即ち、完全に使い果たされた場合、ＴＤＭＡ１が次の記録のために用いられる。ＴＤＭＡ１がフル状態であるとき、ＴＤＭＡ２が次の記録のために用いられる。識別番号（ＴＤＭＡ０〜ＴＤＭＡ４）は、使用シーケンスによる一連のシーケンスにてＴＤＭＡに提供される。
【００２６】
図２Ａの単層の追記型ディスクと同様に、図２Ｂの二層光ディスクは、好ましくは、ディスクのリードイン領域４０に位置するＴＤＭＡ０のヘッド領域にＴＡＩ５７を含む。一般に、単層ディスクに比べて二層光ディスクにより多くのＴＤＭＡが提供されるため、ＴＡＩを二層光ディスク上に提供することは非常に重要である。
【００２７】
二層光ディスクにおいて、ＴＡＩは、ＴＤＭＡ０の固定２０４８クラスタのうち先頭の５つのヘッドクラスタ５７ａ〜５７ｅにて表される。
【００２８】
図３Ａ及び図３Ｂは、本発明の一実施例によるＴＡＩの構造を示す。図３Ａは、単層ＢＤ−ＷＯなどの単層追記型光ディスクにおけるＴＡＩの構造及び使用例を示し、図３Ｂは、二層ＢＤ−ＷＯなどの二層追記型光ディスクにおけるＴＡＩの構造及び使用例を示す。図３Ａ及び図３Ｂに示すＴＡＩの構造は、図２Ａ及び図２Ｂに示すディスクに適用可能である。
【００２９】
図３Ａに示すように、単層追記型光ディスクにおけるＴＡＩ５０は、ディスク上のＴＤＭＡ０の先頭の２つのヘッドクラスタ５０ａ、５０ｂからなる。２つのＴＡＩクラスタ５０ａ、５０ｂの一方は、光ディスクが終了／クローズ状態であるか否かを知らせるためのＤＭＡディスククロージングインジケータ５１として用いられ、２つのＴＡＩクラスタ５０ａ、５０ｂの他の一方は、ＴＤＭＡ１が使用中のＴＤＭＡであるか否かを示すためのＴＤＭＡ１使用中インジケータ５２として用いられる。本例において、ＴＡＩ５０の第１のヘッドクラスタ５０ａは、ＤＭＡディスククロージングインジケータ５１として作用し、第２のヘッドクラスタ５０ｂは、ＴＤＭＡ１使用中インジケータとして作用する。しかし、このような割り当ての順番は、必要に応じて入れ替えることができる。
【００３０】
ＴＤＭＡ１使用中インジケータ５２は、該ＴＤＭＡ１が使用中のＴＤＭＡであるか否かを直接示す。このような表示は、ＴＡＩ５０の第２のクラスタ５０ｂに所定の記録を提供することにより実現される。ＴＡＩクラスタ５０ｂがこのような任意の記録を有する場合、ＴＡＩクラスタ５０ｂは‘記録状態'であるとされる。ＴＡＩクラスタ５０ｂがこのような任意の記録を有していない場合、ＴＡＩクラスタ５０ｂは非記録状態であるとされる。ＴＡＩクラスタ５０ｂ（ＴＤＭＡ１使用中インジケータ５２）が非記録状態であれば、これは、最初に用いられたＴＤＭＡ０が使用中のＴＤＭＡであることを意味する。ＴＡＩクラスタ５０ｂが記録状態であれば、これは、次のＴＤＭＡ１が使用中のＴＤＭＡであることを意味し、最初に用いられたＴＤＭＡ０がフル、即ち、完全に用いられてＴＤＭＡ０にはこれ以上記録スペースがないということを意味する。
【００３１】
これにより、ＴＡＩクラスタ５０ｂの記録／非記録状態を調べることによって、記録／再生装置は、現在どのＴＤＭＡをディスクのデータ記録動作の間に用いることができ、用いるべきであるかを逸早く識別することができる。これによって、ディスクのアクセス時間を大幅に減少させて、ディスクのデータ記録動作を行う効率的且つ効果的な方法を提供する。
【００３２】
ＤＭＡディスククロージングインジケータ５１は、追記型光ディスクがクローズ／終了したかを通知する働きをする。これは、ＴＡＩの第１のクラスタ５０ａに任意のデータを記録することによって実現することができる。第１のクラスタ５０ａにこのような記録があれば、第１のＴＡＩクラスタ５０ａは記録状態であるとされ、第１のＴＡＩクラスタ５０ａの記録状態はディスクが終了／クローズされたことを意味する。第１のＴＡＩクラスタ５０ａにこのような記録がなければ、第１のＴＡＩクラスタ５０ａは非記録状態であるとされ、ディスクがまだ終了／クローズされていないことを意味する。
【００３３】
ユーザまたはホストは、ディスクのクロージングを要請することができ、またはディスクのクロージングはユーザデータ／管理領域を記録するためのユーザデータ領域または管理データ領域がない場合に自動的にトリガーされてもよい。ディスクが一旦クローズされれば、ディスクは本質的に読み出し専用状態となり、これによりデータを順次記録することが不可能になる。ディスクのクロージングはディスクの終了化またはディスクの終了とも言う。
【００３４】
ディスクが前述したようにクローズされれば、光記録／再生装置は、最新のＴＤＭＡからの最新の管理情報を各ＤＭＡに送って記録する。この時、第１のＴＡＩクラスタ（５０ａ）（ＤＭＡディスククロージングインジケータクラスタ５１）は、データ（例えば、ダミーデータまたは一部の他のデータ）に記録されて記録状態となる。第１のＴＡＩクラスタ５０ａの記録状態は、ディスクがクローズされたことを示す。図３Ｃに示すように、ＴＡＩクラスタ５０ａ、５０ｂの何れも記録状態でなければ、これは、使用中のＴＤＭＡが第１のＴＤＭＡとしてのＴＤＭＡ０であり、ディスクがクローズされていない状態ではないことを意味する。
【００３５】
ＴＡＩクラスタ５０ａ、５０ｂを記録状態におくことは、ＴＡＩクラスタ５０ａ、５０ｂを一部のデータで記録することによってなされる。これは、ＴＡＩクラスタ５０ａ、５０ｂを高周波数信号、ダミーデータまたは実際のデータ（意味のあるデータ）にて記録することによって実現できる。例えば、対応するＴＤＭＡの最新の一時ディスク定義構造（ＴＤＤＳ）情報を、実際のデータを用いる一例として対応するＴＡＩクラスタに記録することができ、ＴＡＩクラスタを記録状態におくことができる。このような実際データをＴＡＩクラスタに記録する例が、図６Ａ及び図６Ｂを参照して後述される。
【００３６】
これにより、ＴＡＩは、ディスククロージング情報と、ＴＤＭＡのうち使用中のＴＤＭＡに関する情報を含む。
【００３７】
本発明の一実施例によれば、二層ディスクは５つのＴＤＭＡ（ＴＤＭＡ０〜ＴＤＭＡ４）を持つ。このようなディスクにおけるＴＡＩは、ＴＤＭＡ０の先頭５つのヘッドクラスタからなり、ここで、ＴＤＭＡ０の第１のヘッドクラスタは、ＤＭＡディスククロージングインジケータとして働き、ＴＤＭＡ０の次の４つのヘッドクラスタ（第２乃至第５のクラスタ）は、ＴＤＭＡ使用中インジケータとして働く。ＴＤＭＡ０の第２乃至第５のクラスタは、ＴＤＭＡ１〜ＴＤＭＡ４にそれぞれ対応し、これらがＴＤＭＡ１〜ＴＤＭＡ４使用中インジケータとしてそれぞれ働く。これらのＴＤＭＡ使用中インジケータのそれぞれは、図３Ａを参照して上述したように対応するＴＤＭＡが使用中のＴＤＭＡであるか否かを示す。
【００３８】
図３Ｂは、本発明の一実施例による図２Ｂの二層追記型ディスクに関するＴＡＩ５７の構造例を示す図である。同図に示すように、ＴＡＩ５７は、ＴＤＭＡ０の第１乃至第５のヘッドクラスタ５７ａ〜５７ｅからなる。第１のＴＡＩクラスタ５７ａは、ＤＭＡディスククロージングインジケータ５１として働く。第２乃至第５のＴＡＩクラスタ５７ｂ〜５７ｅは、ＴＤＭＡ４〜ＴＤＭＡ１使用中インジケータ５５〜５２としてそれぞれ働く。このように、第２乃至第５のＴＡＩクラスタ５７ｂ〜５７ｅは、アドレスが減少する順番に用いられて、‘記録方向'矢印によって表示される。即ち、ＴＡＩクラスタ５７ｂ〜５７ｅへの記録は、クラスタ５７ｅ〜５７ｂの順に行われる。また、これらのクラスタは逆順に用いられてもよい。
【００３９】
第２乃至第５のＴＡＩクラスタ５７ｂ〜５７ｅの全てが非記録状態であれば、これは、先に用いられたＴＤＭＡ０が使用中のＴＤＭＡであることを意味する。第５のＴＡＩクラスタ５７ｅ（ＴＤＭＡ１使用中インジケータ５２）だけが記録状態であれば、これは、ＴＤＭＡ０がフルでＴＤＭＡ１が使用中のＴＤＭＡであることを意味する。第５及び第４のＴＡＩクラスタ５７ｅ、５７ｄだけが記録状態であれば、これは、ＴＤＭＡ０及びＴＤＭＡ１がフルでＴＤＭＡ２が使用中のＴＤＭＡであることを意味し、これについては、図３Ｄに示した。また、残りの使用中インジケータクラスタは、類似の方式で用いられる。
【００４０】
ＴＡＩ５７の全てのクラスタ５７ａ〜５７ｅが図３Ｅに示すように記録状態であれば、これは、現在ディスクがクローズ状態であり、データがディスクのどの領域にも記録できないことを意味する。従って、ディスクの再生だけが許容される。
【００４１】
図４Ａ乃至図４Ｃは、本発明の他の実施例によるＴＡＩの構造を示す図である。図４Ａは、単層ＢＤ−ＷＯなどの単層追記型光ディスクにおけるＴＡＩの構造及び使用を示しており、図４Ｂ及び４Ｃは、二層ＢＤ−ＷＯなどの二層追記型光ディスクにおけるＴＡＩの構造及び使用を示している、図４Ａ乃至図４Ｃに示すＴＡＩの構造は、図２Ａ及び図２Ｂに示すディスク及びＴＡＩ（５７）に適用可能である。
【００４２】
本明細書におけるＴＡＩは、どのＴＤＭＡがフルであるかを示すことによってどのＴＤＭＡが使用中のＴＤＭＡであるかを示す。図４Ａ乃至図４Ｃの例では、上述したように、ＴＤＭＡが、ＴＤＭＡ０からＴＤＭＡ１（単層ディスク）まで、またはＴＤＭＡ４（二層ディスク）まで順次用いられると仮定する。また、ＴＡＩは、低いＰＳＮを持つＴＡＩクラスタから高いＰＳＮを持つＴＡＩクラスタの順にシーケンスで用いられる。
【００４３】
図４に示すように、単層ディスクの例において、２つのクラスタ１７２ａ、１７２ｂがＴＡＩ１７２に割り当てられる。第１及び第２のクラスタ１７２ａ、１７２ｂはＴＤＭＡ０フルインジケータ１７３及びＴＤＭＡ１フルインジケータ１７４としてそれぞれ働く。これによって、ＴＤＭＡ０だけがフルであれば、第１のＴＡＩクラスタ１７２ａ（ＴＤＭＡ０フルインジケータ１７３）だけが記録状態であると表示される。これは、ＴＤＭＡ１が使用中のＴＤＭＡとして用いることができることを意味する。第１のＴＡＩクラスタ１７２ａが記録状態でなければ、これは、ＴＤＭＡ０がまだフルでなく使用可能であることを意味する。即ち、ＴＤＭＡ０は使用中のＴＤＭＡとして使用可能である。第１及び第２のクラスタ１７２ａ〜１７２ｂの全てが記録状態であれば、ＴＤＭＡ０及びＴＤＭＡ１は全てフルであり、管理情報を記録するのに利用可能なＴＤＭＡがなく、ディスクがクローズ／終了状態であることを意味する。
【００４４】
図４Ｂに示すように、二層追記型ディスクにおいて第１乃至第５のクラスタ１７５ａ〜１７５ｅがＴＡＩ１７５に割り当てられ、本例での順番に従って順次記録される。第１乃至第５のクラスタ１７５ａ〜１７５ｅは、ＴＤＭＡ０〜ＴＤＭＡ４にそれぞれ対応し、それぞれＴＤＭＡ０〜ＴＤＭＡ４フルインジケータ１７６〜１８０として働く。それぞれのＴＡＩクラスタは、対応するＴＤＭＡがフルであるか否かを示す。
【００４５】
これにより、例えば、ＴＡＩクラスタが記録状態でなければ、これは、ＴＤＭＡ０が使用中のＴＤＭＡであることを意味する。第１のＴＡＩクラスタ１７５ａだけが記録状態であれば、これは、ＴＤＭＡ０がフルで使用中のＴＤＭＡがＤＭＡ１であることを意味する。第１及び第２のＴＡＩクラスタ１７５ａ〜１７５ｂだけが記録状態であれば、これは、ＴＤＭＡ０及びＴＤＭＡ１が完全に用いられて、ＴＤＭＡ２が現在利用可能であることを意味する。５つのすべてのＴＡＩクラスタ１７５ａ〜１７５ｅが、図４Ｃに示すように記録状態であれば、これは、ＴＤＭＡ０〜ＴＤＭＡ４が完全に用いられて、使用可能なＴＤＭＡがないことを意味する。このような場合、対応するディスクにＴＤＭＳ情報を記録するための領域がないため、ディスクが終了／クローズされる。
【００４６】
図４Ａ〜４Ｃの実施例において、ＴＡＩのＴＤＭＡフルインジケータは、ディスクが終了／クローズ状態であるか否かを判定するのに用いることができ、従って、ディスククロージングインジケータとしても働き得る。例えば、図４Ａの例において、ＴＡＩクラスタ１７４（ＴＤＭＡ１フルインジケータ）が記録状態であれば、これはディスクがクローズ／終了状態であることを意味する。図４Ｃの例において、ＴＡＩクラスタ１８０（ＴＤＭＡ４フルインジケータ）が記録状態であれば、これは、ディスクがクローズ／終了状態であることを意味する。
【００４７】
本発明の実施例によれば、図３Ａ〜４Ｃに示すＴＡＩクラスタは、アドレスが減少する順に、またはアドレスが増加する順に用いればよい。しかしながら、図３Ｂに示すように、ＴＡＩクラスタの記録は、高いＰＳＮ（物理セクタ数）を持つクラスタから低いＰＳＮを持つクラスタの順でシーケンスで行うことが好ましい。これにより、ＴＤＭＡ０に隣接している内周領域に配置されたＯＰＣ（Optimum Power Calibration、図示せず）との干渉を防止する。
【００４８】
本発明によれば、ディスクがローディングされる場合、記録／再生装置が使用中のＴＤＭＡの位置を決めるためにＴＡＩ内の記録状態をチェックするので、記録／再生装置は、最近記録されたＴＤＭＳ（一時ディスク管理構造）情報を読み込むために使用中のＴＤＭＡの開始位置に早く移動することができ、再生用の各種の初期化情報が逸早く得られる。しかし、ＴＡＩがなければ、記録／再生装置は、利用可能なＴＤＭＡを探索するためにＴＤＭＡ０から始まるすべてのＴＤＭＡをスキャンする必要がある。これは、長いディスクアクセス時間が初期の再生に要求されることから短所となる。従って、本発明は、ＴＡＩを提供して利用することによって前記短所を効率よく解決する。さらに、ＴＡＩのＤＭＡディスククロージングインジケータは、ディスク上に任意の記録を行うことができるか否かを逸早く示す。
【００４９】
本発明の一実施例によれば、単層追記型ディスクが２つ以上のＴＤＭＡを有するか、二層追記型ディスクが所定数のＴＤＭＡを有する場合、ＴＤＭＡ使用中インジケータとしてＴＡＩ領域に存在するＴＡＩクラスタの総数は、ディスク上に存在するＴＤＭＡの総数に応じて変わる。例えば、ディスク上にＸ個のＴＤＭＡがあるとすれば、ＴＤＭＡ使用中インジケータとして働く（Ｘ−１）個のＴＡＩクラスタが存在する。このようなＴＡＩクラスタのそれぞれは、一般に第１のＴＤＭＡ（ＴＤＭＡ０）を除き、ＴＤＭＡ使用シーケンスの順にＴＤＭＡの何れかに対応する。
【００５０】
ＴＡＩ５０、５７、１７２、１７５は、図２Ａ及び図２Ｂに示すように、単層または二層ディスクのリードイン領域に位置するＴＤＭＡ０のヘッドに位置される。しかし、記録／再生装置が、管理領域として初期に認識できる領域内に位置すれば、ディスク上のＴＡＩの任意の位置が収容されることもある。このような点からディスクのデータ領域が省かれることもある。例えば、ＴＡＩは、代案としてＴＤＭＡ０の端部に提供されてもよい。他の代案として、ＴＡＩは、単層／二層追記型ディスクのＤＭＡの何れか、幾つか、または各々に提供することができる。
【００５１】
図５Ａは、ディスクの欠陥管理及びディスクの使用状態に関する各種の情報を示しており、この種の情報は、ＴＤＭＡに記録される。ディスク上に記録が行われる度に、該記録は一般に１つ以上のクラスタによって行われ、クラスタは一般に最小の記録単位である。ＴＤＭＡ（例えば、ＴＤＭＡ０、ＴＤＭＡ１、ＴＤＭＡ２、ＴＤＭＡ３、またはＴＤＭＡ４）に記録された様々なディスク管理情報を、以下ＴＤＭＳ（一時ディスク管理構造）とする。ＴＤＭＳ情報は、標準に沿って変更または付加してもよい。
【００５２】
図５Ａに示すように、ＴＤＭＳ情報がこれに制限されるものではないが、ディスクの欠陥管理情報を記録するための一時欠陥リスト（ＴＤＦＬ）、ディスクの使用状態を表すための情報として順次記録モードに適用される順次記録範囲情報（ＳＲＲＩ）、ランダム記録モードに適用されるスペースビートマップ（ＳＢＭ）、及びＴＤＦＬ及びＳＲＲＩ（または、ＳＢＭ）の最近の位置情報を含む一時ディスク定義構造（ＴＤＤＳ）を含む。ＳＲＲＩ及びＳＢＭは、同時に用いられず、ＳＲＲＩまたはＳＢＭの何れかが記録モードによってディスク上に記録される。
【００５３】
一例として、図２Ａ及び図２Ｂに示したディスク構造の観点において、ＴＤＭＡ０〜ＴＤＭＡ４のそれぞれは、図５Ａに示すように各記録／アップデーティング時間で１クラスタにＴＤＤＳがそれぞれ記録された１または複数のＴＤＦＬ／ＳＢＭ／ＳＲＲＩを含む。即ち、ＴＤＦＬ／ＳＢＭ／ＳＲＲＩをＴＤＤＳでそれぞれ記録したものは、１つのクラスタに割り当てられる。一般に、それぞれのこのようなクラスタの最終セクタは、図５Ａに示すようにＴＤＤＳ情報を保存するように指定される。しかし、それぞれのこのようなクラスタの最終セクタの代りに先頭セクタをＴＤＤＳ情報を保存するのに用いてもよい。
【００５４】
ＴＤＤＳ情報は、一般のディスク記録／再生情報を含み、上述したようにＴＤＦＬ及びＳＲＲＩ（またはＳＢＭ）の最近位置を示すためのポインタ情報を含むので、記録／再生装置にディスクをローディングするときに常にチェックされる。ディスクの使用状態に応じてＴＤＤＳ情報が連続してアップデートされ、アップデートされたＴＤＤＳ情報は、各アップデート／記録時にＴＤＭＡに記録される。従って、用いられた最新のＴＤＭＡの最終のＴＤＤＳは、現在のディスク使用状態に関する各種の管理情報をアクセスする際にチェックするべきである。
【００５５】
図５Ｂは、本発明の一実施例によるＴＤＤＳの構造を示す。この構造は、ＴＤＤＳをもつ任意のディスク構造に適用してもよい。図５Ｂを参照すれば、ＴＤＤＳに記録された各種の情報は、これに制限されるものではなく、ＴＤＤＳの属性を区別するための“ＴＤＤＳ識別子”フィールド６１及び“ＴＤＤＳフォーマット”フィールド６２と、ＴＤＤＳのアップデート時間を示すための“ＴＤＤＳアップデートカウント”フィールド６３と、各種のドライブ情報を記録するための“ドライブ領域の第１のＰＳＮ”フィールド６４と、ディスクがクローズされる場合に欠陥リストの第１の物理セクタ数を示すための“欠陥リストの第１のＰＳＮ”フィールド６５と、ユーザデータ領域の開始及び終了を示すための“ユーザデータ領域のＬＳＮ０の位置”フィールド６６（ＬＳＮ＝最終セクタ数）及び“ユーザデータ領域の最終ＬＳＮ”フィールド６７と、対応するスペア領域のサイズを示すための“内部スペア領域０サイズ”フィールド６８、“外部スペア領域サイズ”フィールド６９及び“内部スペア領域１サイズ”フィールド７０と、スペア領域が完全に使用されたか否か（フルであるか否か）を選択的に示す“スペア領域フルフラグ”フィールド７１と、順次記録モードまたはランダム記録モードなどのディスク記録モードを示す“記録モード”フィールド７２と、ディスクの記録保護が存在するか否かを示す“一般フラグビット”フィールド７３と、ＴＤＭＳ情報のアップデート状態を示す“不一致フラグ”フィールド７４と、ユーザデータ領域内の最終的に記録されたデータの位置を示す“ユーザデータ領域の最終記録アドレス”フィールド７５と、スペア領域内に割り当てられた対応するＴＤＭＡのサイズを示す“外部スペア領域のＴＤＭＡのサイズ”フィールド７６及び“内部スペア領域１のＴＤＭＳのサイズ”フィールド７７と、最新のＴＤＭＡ領域内の最新欠陥リストの第１の物理セクタ数を示す“欠陥リストの第１のクラスタの第１のＰＳＮ”フィールド７８乃至第８の物理セクタ数を示す“欠陥リストの第８のクラスタの第１のＰＳＮ”フィールド７９（欠陥リストは、一般に単層光ディスクで４つのクラスタ及び二層光ディスクで８つのクラスタを超えない）と、ＳＲＲＩ（または、ＳＢＭ）の位置を示し、結局順次またはランダム記録モードに記録される“Ｌ０用ＳＲＲＩ／ＳＢＭの第１のＰＳＮ”フィールド８０及び“Ｌ１用ＳＢＭの第１のＰＳＮ”フィールド８１と、対応するスペア領域において次に利用可能な物理セクタ数を示す“次に利用可能なＩＳＡ０のＰＳＮ”フィールド８２、“次に利用可能なＯＳＡ０のＰＳＮ”フィールド８３、“次に利用可能なＩＳＡ１のＰＳＮ”フィールド８４、“次に利用可能なＯＳＡ１のＰＳＮ”フィールド８５と、記録時間を示す“記録年／月／日”フィールド８６と、製造会社、付加識別、シリアル番号などを示す“ドライブＩＤ”フィールド８７を含む。
【００５６】
ＴＤＤＳのこれらのフィールドのうち一部は、非可変フィールド（アップデート不可能）であってもよい。かかるフィールドは、上述のＴＤＤＳ情報のうち“ＴＤＤＳ識別子”フィールド６１、“内部スペア領域０、１サイズ”フィールド６８〜７０、“外部スペア領域サイズ”フィールド６９、“記録モード”フィールド７２、“外部スペア領域におけるＴＤＭＡのサイズ”フィールド７６、“内部スペア領域１におけるＴＤＭＡのサイズ”フィールド７７を含む。説明の便宜のために、これら非可変フィールドに含まれた情報は、“固定管理フィールド”情報と呼ばれる。固定管理フィールド情報は、ＴＤＤＳの再生にかかわらず同一であるため、ディスクの全体構造、記録方式などは、これらの情報に基づいて決めればよい。
【００５７】
さらに、ＴＤＤＳのフィールドのうち一部は、必要に応じて継続してアップデートする必要がある。かかるフィールドは、“欠陥リストの第１のクラスタの第１のＰＳＮ”…“欠陥リストの第８のクラスタの第１のＰＳＮ”フィールド７８、…７９、“次に利用可能なＩＳＡ０のＰＳＮ”フィールド８２、“次に利用可能なＯＳＡ０のＰＳＮ”フィールド８３、“次に利用可能なＩＳＡ１のＰＳＮ”フィールド８４、及び“次に利用可能なＯＳＡ１のＰＳＮ”フィールド８５を含む。説明の便宜のために、これら可変フィールドに含まれた情報は“可変管理フィールド”情報と呼ばれる。
【００５８】
従って、ＴＤＤＳ情報が本発明の一実施例によってＴＡＩに記録され再生されるとすれば、全体のディスク構造、記録方式／モードなどは、固定管理フィールド情報を通じて先に決めればよい。例えば、対応するＴＤＭＡは、固定管理フィールド情報に含まれたＴＤＭＡ領域のサイズ情報を通じて容易にアクセスできる。
【００５９】
図６Ａ及び６Ｂは、本発明の一実施例によるＴＡＩクラスタの他の内容の２つの例を示す。図６Ａ及び６Ｂが１つのクラスタを示すとしても、上述したＴＡＩの各クラスタは、等しいか、または類似のコンテンツ構造を有してもよい。
【００６０】
特に、図６Ａ及び６Ｂは、ＴＡＩクラスタを記録状態に選択的におくために任意の実際データをＴＡＩクラスタに記録する例である。かかるＴＡＩに記録される実際データの一部または全てを、ＴＡＩクラスタが記録状態にあって上述したように使用中のＴＤＭＡを識別するのに直接用いてもよい。かかる実際データの使用は、付加関連情報がＴＡＩだけでなく現在使用中のＴＤＭＡの表示によって提供できるという利点をもつ。しかし、ダミーデータまたは任意の他の指定された信号がＴＡＩクラスタの記録／非記録状態を示すためにＴＡＩクラスタに記録されることもあることに留意しなければならない。図６Ａ及び６ＢのＴＡＩコンテンツ構造は、図２Ａ〜５Ｂに示したＴＡＩ及びディスク構造と図８の方法に適用可能である。
【００６１】
図６Ａに示された一例によれば、上述したように特定のＴＤＭＡ（即ち、ＴＡＩクラスタがディスククロージングを示す場合の最新のＴＤＭＡ）に対応するＴＡＩクラスタは、対応するＴＤＭＡが使用中のＴＤＭＡであるか否かを示す情報以外に、ＴＡＩクラスタに対応するＴＤＭＡに関わる最新のＴＤＤＳ情報を含む。最終のＴＤＤＳがそれぞれのＴＤＭＡの最終クラスタに記録される場合、最新のＴＤＤＳ及び使用中のＴＤＭＡを含むＴＤＭＡは互いに異なることがあり、これは、ディスクをアクセスする際のエラーを招き得る。図６Ａに示すように、ＴＡＩに付加情報を提供することによってかかるエラーは防止できる。
【００６２】
図６Ａを参照して後述する、このような状況の詳細な説明では、ＴＡＩがクラスタ単位で記録され、クラスタが最小記録単位であると仮定する。３２セクタを有するＴＡＩクラスタの第１層（層０）には、ＴＡＩ情報の認識を可能にする識別フィールド９２（“ＴＡＩ識別子”）と、現在のディスクのバージョンに係わるＴＡＩフォーマット情報フィールド９３（“ＴＡＩフォーマット”）と、ＴＡＩがアップデートされる度にカウント値が１ずつ増加するＴＡＩアップデートカウントフィールド９４（“ＴＡＩアップデートカウント”）が存在する。アップデートカウントフィールド９４は、更にどの位多くのクラスタがＴＡＩに存在するかを示す情報として用いることもできる。また、最新のＴＤＤＳ情報が位置するＴＤＭＡ上に情報を提供するためのＴＤＤＳ位置フィールド９５（“最新のＴＤＤＳ位置”）が存在する。
【００６３】
ＴＡＩクラスタの第１のセクタ（セクタ０）の残りの領域９６は、既に決められた値（例えば、フィールドを“００ｈ”と設定する）を用いることによってＴＡＩクラスタの記録または非記録状態を示すのに用いられる。例えば、ＴＡＩクラスタのセクタ０の残りの領域９６が、上述したように任意の指定された記録を有するとすれば、ＴＡＩクラスタは、図３Ａ乃至図４Ｃを参照して上述したように、対応するＴＤＭＡまたはディスククロージングの使用中の状態を示すために記録状態にあるといえる。
【００６４】
ＴＡＩクラスタの第１のセクタ（セクタ０）のＴＤＤＳ位置フィールド９５は、ＴＤＭＡが完全に使用されたか否かに関係なく最新のＴＤＤＳ情報が記録されるＴＤＭＡを識別する。例えば、かかるフィールド９５の値は、“００００ ００００ｂ”が最新のＴＤＤＳがＴＤＭＡ０に存在することを意味し、“００００ ０００１ｂ”が最新のＴＤＤＳがＴＤＭＡ２に存在することを意味し、“００００ ００１１ｂ”が最新のＴＤＤＳがＴＤＭＡ３に存在することを意味し、“００００ ０１００ｂ”が最新のＴＤＤＳがＴＤＭＡ４に存在することを意味するように定義すればよい。他の例も可能である。これにより、図３Ｃの例において、ＴＡＩ５０の第１のクラスタ５０ｂだけが記録状態にあって（例えば、図３ＣのＴＡＩクラスタ５０ｂの領域９６が記録状態にあって）、ＴＤＤＳ位置フィールド９５（即ち、図３Ｃの第２のＴＡＩクラスタ５０ｂ）が“００００ ００００ｂ”の値を有すれば、これは利用可能なＴＤＭＡがＴＤＭＡ１であるが、最終的にアップデートされたＴＤＤＳ（最新のＴＤＤＳ情報）がディスク上のＴＤＭＡ０内に位置するということを意味する。
【００６５】
また、最新のＴＤＤＳ情報は、第２のセクタ（ＴＡＩクラスタのセクタ１）のＴＤＤＳ情報フィールド９７（“最新のＴＤＤＳ”）に記録される。その結果、ＴＡＩは、最新のＴＤＤＳ情報を直接復旧するためにも活用できる。これは、ＴＤＭＳ情報の一部として最新のＴＤＭＡに記録された最新のＴＤＤＳ情報が損傷されても、重要なＴＤＤＳ情報がＴＤＭＡ０内に記録されたＴＡＩから復旧できるので損失されないという利点を有する。ＴＡＩクラスタの残りのセクタ９８の一部または全てにＴＤＤＳ情報フィールド９７に保存された最新のＴＤＤＳ情報をコピーしてもよい。各ＴＤＤＳ情報は、１つのセクタサイズに記録される。従って、例えば、ＴＡＩクラスタの３セクタに同一の最新のＴＤＤＳ情報が記録されれば、これは、最新のＴＤＤＳ情報がＴＡＩに３回保存されることを意味する。
【００６６】
ＴＡＩクラスタのフィールド９７に保存された最新のＴＤＤＳ情報は、最終のＴＤＤＳ情報または第１のＴＤＤＳ情報であればよい。例えば、ＴＡＩクラスタに対応するＴＤＭＡが使用中のＴＤＭＡであれば、フィールド９６の記録は、対応するＴＤＭＡが現在使用中であることを示すようになる。この時、対応するＴＤＭＡに記録された第１のＴＤＤＳ情報は、最新のＴＤＤＳ情報としてＴＡＩクラスタのＴＤＤＳ情報フィールド９７にコピー及び記録される。第１のＴＤＤＳ情報は、対応するＴＤＭＡがその時に依然として使用中でありフルでないので、フィールド９７に記録される。よって、ＴＡＩがアップデートされる時点によっては、ＴＡＩに記録される最新のＴＤＤＳ情報が対応するＴＤＭＡ（例えば、対応するＴＤＭＡがフルであるとき）内に記録された最終のＴＤＤＳであるか、または使用中のＴＤＭＡ（即ち、対応するＴＤＭＡが使用中であり現在利用可能なとき）内に記録された第１のＴＤＤＳであることもある。
【００６７】
他の例として、最新のＴＤＤＳ情報をＴＡＩクラスタに３２回コピーしてもよい。ＴＡＩクラスタの所定の残りのセクタが用いられていなければ、００ｈのような所定の値にて設定すればよい。各ＴＤＤＳ情報記録が１つのセクタサイズにて割り当てられるため、これは、全体のＴＡＩクラスタに図６Ｂに示すように３２回まで同一の最新のＴＤＤＳ情報が記録されてもよいことを意味する。この例において、対応するＴＤＭＡに記録された第１のＴＤＤＳ情報は、ＴＡＩクラスタに３２回記録される。ＴＡＩクラスタへの第１のＴＤＤＳ情報の記録は、ＴＡＩクラスタのＴＤＭＡ使用中／ディスククロージングインジケータとして直接用いられる。これは、ＴＡＩクラスタが記録状態にあるか否かを選択的に示すためにＴＡＩクラスタ内の実際データ（例えば、ＴＤＤＳ情報のような）の記録を用いる例である。従って、ＴＡＩクラスタは、ＴＤＭＡが使用中のＴＤＭＡであるか否か、またはディスクがクローズ状態であるか否かを示すだけでなく、対応するＴＤＭＡに関わる最新のＴＤＤＳ情報を提供する。
【００６８】
これによって、光記録／再生装置は、ディスクがクローズになった否かを判定するためにローディングされたディスクからＴＡＩを調べることができる。ディスクがクローズされた状態であれば、ディスクの最終のＴＤＤＳ情報は、ＴＡＩクラスタに記録された最新のＴＤＤＳ情報を読み込むことによって得られる。さらに、ＴＡＩは、どのＴＤＭＡが現在使用中のＴＤＭＡであるかを示すために、使用中のＴＤＭＡの位置を識別するために調べてもよい。さらには、対応するＴＡＩクラスタに記録されたＴＤＤＳ情報のうちの“固定管理フィールド”情報をアクセス及び利用することによって、スペア領域がディスク上に割り当てられるか、割り当てられないこともあり、スペア領域及び／またはＴＤＭＡの割り当てサイズが得られる。
【００６９】
その後、記録／再生装置は、対応するＴＤＭＡ領域の始めからスキャンを行うために、使用中のＴＤＭＡへピックアップを移動させることができ、最終的に記録されたＴＤＤＳを確認する。
【００７０】
従って、ＴＤＤＳに記録された“可変管理フィールド”情報を確認することができ、確認された情報は、最終のＴＤＦＬ、ＳＲＲＩ（または、ＳＢＭ）の読み込みを許容するのに用いればよく、ディスク全体の記録状態及び欠陥領域に関する情報を読み込むことができる。
【００７１】
以下、本発明の一実施例によるＴＡＩを用いた光記録／再生方法及び装置について説明する。
【００７２】
図７は、本発明の一実施例による記録／再生装置を示す。本発明の方法は、図７の装置または他の適切なデバイス／システムによって実現することができる。記録／再生装置は、光ディスクから／上に再生及び／または記録を行う記録／再生部１０、及び記録／再生部１０を制御する制御部（または、ホスト）２０を含む。制御部２０は、ディスク上の特定領域に関する記録コマンドまたは再生コマンドを再生部１０に送る。記録／再生部１０は、制御部２０のコマンドによって特定の領域に記録／再生を行う。記録／再生部１０は、光ドライブを採用することができる。
【００７３】
記録／再生部１０は、制御部２０のような外部デバイスと通信を行うインターフェイス部１２と、光ディスクに／からデータを直接記録または再生するピックアップ部１１と、ピックアップ部１１から再生信号を受信し、これを適切な信号値に切り換えるか、または記録すべき（to−be−recorded）信号を、光ディスクに対する適切な記録信号に変調するデータプロセッサ１３と、ピックアップ部１１を制御して光ディスクから信号を正確に読み込んだり光ディスク上に信号を正確に記録したりするサーボ部１４と、管理情報を含む各種の情報を一時保存するメモリ１５と、記録／再生部１０内の動作及び構造素子を制御するマイクロプロセッサ１６を含む。
【００７４】
本発明の任意の実施例による記録／再生装置においてＴＡＩを用いるディスク再生方法について、以下、図８を参照して説明する。
【００７５】
図８に示すように、追記型光ディスクが光記録／再生装置にローディングされれば、この装置は、ＴＡＩを読み込むためにディスクのＴＤＭＡ０に移動する（Ｓ１０）。ローディングされたディスクがＴＡＩ情報、特にＴＡＩのＤＭＡディスク−クロージングインジケータを調べることによってクローズ状態であるか否かを判定する（Ｓ２０）。
【００７６】
この時、ＤＭＡディスククロージングインジケータクラスタが記録状態にあるため、ディスクがクローズされたと判定される場合、装置は、ピックアップ部を指定された領域（例えば、ＤＭＡ）に移動させ、最終的に記録された管理情報を読み込む（Ｓ３０）。ディスクが上述したようにクローズされた場合、ディスク上の記録はこれ以上行うことができない。従って、管理情報は、データの再生を行うように活用される（Ｓ４０）。
【００７７】
一方、ディスクがクローズされたと判定されれば、記録／再生装置は、ＴＡＩのＴＤＭＡ使用中インジケータによって表示された使用中のＴＤＭＡに移動し、使用中のＴＤＭＡに記録された最新のＴＤＤＳ情報を含む管理情報を読み込む（Ｓ５０）。このようなＴＤＤＳ情報は、ＴＡＩから得られる。また、記録／再生装置は、先にＴＡＩ内に記録されたＴＤＤＳ情報から“固定管理フィールド”情報を読み込み、ディスク全体の構造などに関する情報を得て、以降、現在使用中のＴＤＭＡに移動して最新の“可変管理フィールド”情報を読み込むことができる。
【００７８】
上述したように、ディスクの最終的な管理情報が読み込まれた後、データはの選択または必要に応じて記録または再生される（Ｓ６０）。
【００７９】
図８の方法を図７の装置に適用すると、光ディスクがローディングされれば、記録／再生部１０は、ローディングされた光ディスクから各種の記録されたディスク情報を得る。特に、ローディングされた光ディスクが追記型光ディスク、例えばＢＤ−ＷＯの場合、マイクロプロセッサ１６は、ＴＡＩをアクセスして、ＴＤＭＡ０に記録されたＴＡＩ情報を得て、ローディングされたディスクがクローズ状態であるか否かを判定して、使用中のＴＤＭＡの位置を得る。
【００８０】
ディスクがＴＡＩ情報の観点からクローズ状態であると判定されれば、ディスク上への記録はこれ以上行うことができない。従って、記録／再生部１０は、マイクロプロセッサ１６の制御下で制御部２０の再生コマンドを通じてディスクの再生を行う。ディスクがＴＡＩ情報の観点からクローズ状態でなければ、使用中のＴＤＭＡに記録された最終的のＴＤＭＳ情報を得るための使用中のＴＤＭＡのロケーションはＴＡＩから得られ、得られたＴＤＭＳ情報は、制御部２０の再生コマンドによってマイクロプロセッサ１６の制御下で記録／再生部１０によって再生を行うように活用される。
【００８１】
一方、本発明の一実施例による図７の光記録／再生装置を利用してＴＡＩを記録する方法について、以下で説明する。
【００８２】
再生部１０内のマイクロプロセッサ１６は、ＴＤＭＳ情報を特定の使用シーケンスにて複数のＴＤＭＡに記録する。例えば、ＴＤＭＡ０が先に用いられる。ＴＤＭＡ０が完全に使われれば、ＴＤＭＡ０内のＴＡＩのＴＤＭＡ１使用中インジケータクラスタが、ＴＤＭＡ１が現在使用中であることを示すために記録状態にあるように変更される。ＴＤＭＡ１使用中インジケータの記録状態は、ＴＤＭＡ０に既に記録された記録ＴＤＤＳ情報、または上述したような幾つかの他の指定データを記録することによって実現することができる。
【００８３】
記録するクラスタがこれ以上ないか、記録が行われる間にの要請などによって制御部２０のクロージングコマンドによってディスクがクローズされる場合、マイクロプロセッサ１６は、最新のＴＤＭＡに記録される最新のＴＤＭＳ情報をそれぞれのＤＭＡへ伝達及び記録する（リダンダンシーの目的で重複記録される）ように制御し、ＴＡＩのＤＭＡディスククロージングインジケータクラスタを記録状態にあるように変更するように制御する。
【００８４】
ディスク記録が全て終了した後、ディスクがアイドル状態またはディスク取り出し状態にあるとき、使用中のＴＤＭＡのロケーションは、前記動作が対応するＴＡＩ内の特定クラスタをバッチ記録状態にあるように変更できるように決められる。
上記のように、本発明は、ＴＤＭＡ使用中インジケータ及びディスククロージングインジケータの両方を含むＴＡＩを記録し使用する方法を通して、追記型光ディスクが効率的に使用されるという利点を有する。最初にＴＡＩをアクセスすることにより、その時の使用中ＴＤＭＡの同一性を迅速に得ることができ、ディスクがクローズされているか否かに関する情報を容易に得ることができ、最新のＴＤＤＳ情報等の管理情報を容易に得ることもできる。
【００８５】
当業者であれば本発明の種々の変形及び修正が可能であることは自明である。従って、このような変形及び修正が本発明の特許請求の範囲及びその均等物の範囲に属することは自明である。
【産業上の利用可能性】
【００８６】
本発明によれば、追記型光ディスクを、ＴＤＭＡの使用中のインジケータ及びディスククロージングインジケータの両方を含むＴＡＩを記録して用いる方法を通じて効率よく使用できるという長所を持つ。ＴＡＩを初期にアクセスすることによって、現在使用中のＴＤＭＡの身元を逸早く得られ、ディスクがクローズ状態であるか否かに関する情報が容易に得られ、最新のＴＤＤＳ情報のような管理情報も容易に得ることができる。
【図面の簡単な説明】
【００８７】
【図１】関連技術による書き換え型ブルーレイディスクの構造を例示した概要図である。
【図２Ａ】本発明の一実施例による単層の追記型光ディスクの構造を示す図である。
【図２Ｂ】本発明の一実施例による二層の追記型光ディスクの構造を示す図である。
【図３Ａ】本発明の一実施例によるＴＡＩの構造と、単層の追記型光ディスクに対するＴＡＩの記録及びその使用方法を示す図である。
【図３Ｂ】本発明の一実施例によるＴＡＩの構造と、二層の追記型光ディスクに対するＴＡＩの記録及びその使用方法を示す図である。
【図３Ｃ】本発明の一実施例によるＴＡＩの構造と、単層の追記型光ディスクに対するＴＡＩの記録及びその使用方法を示す図である。
【図３Ｄ】本発明の一実施例によるＴＡＩの構造と、二層の追記型光ディスクに対するＴＡＩの記録及びその使用方法を示す図である。
【図３Ｅ】本発明の一実施例によるＴＡＩの構造と、二層の追記型光ディスクに対するＴＡＩの記録及びその使用方法を示す図である。
【図４Ａ】本発明の他の実施例によるＴＡＩの構造と、単層の追記型光ディスクに対するＴＡＩの記録及びその使用方法を示す図である。
【図４Ｂ】本発明の他の実施例によるＴＡＩの構造と、二層の追記型光ディスクに対するＴＡＩの記録及びその使用方法を示す図である。
【図４Ｃ】本発明の他の実施例によるＴＡＩの構造と、二層の追記型光ディスクに対するＴＡＩの記録及びその使用方法を示す図である。
【図５Ａ】本発明の一実施例による各種のディスクの欠陥管理とＴＤＭＡに記録されたディスクの使用状態情報を示す図である。
【図５Ｂ】本発明の一実施例によるＴＤＤＳの構造を示す図である。
【図６Ａ】本発明の一実施例によるＴＡＩの内容の例を示す図である。
【図６Ｂ】本発明の一実施例によるＴＡＩの内容の例を示す図である。
【図７】本発明の一実施例による光記録／再生装置を示すブロック図である。
【図８】本発明の一実施例による光記録／再生装置を用いた光記録／再生方法を示すフローチャートである。
【図１】
2008112577.tif 000003
【図２Ａ】
2008112577.tif 000004
【図２Ｂ】
2008112577.tif 000005
【図３Ａ】
2008112577.tif 000006
【図３Ｂ】
2008112577.tif 000007
【図３Ｃ】
2008112577.tif 000008
【図３Ｄ】
2008112577.tif 000009
【図３Ｅ】
2008112577.tif 000010
【図４Ａ】
2008112577.tif 000011
【図４Ｂ】
2008112577.tif 000012
【図４Ｃ】
2008112577.tif 000013
【図５Ａ】
2008112577.tif 000014
【図５Ｂ】
2008112577.tif 000015
【図６Ａ】
2008112577.tif 000016
【図６Ｂ】
2008112577.tif 000017
【図７】
2008112577.tif 000018
【図８】
2008112577.tif 000019